(57)【要約】【課題】キャビネット取付装置２ａの取付対象がどのような形状であっても容易、かつ、確実に取付けることができるようにする。【解決手段】キャビネット取付装置２ａにおける左右側板１４ｂの付根部分にヒンジ部１６を介して形成された長板状の耳板１７と、左右の該耳板１７に形成された貫通孔２５ａと、左右のヒンジ部１６の一部を開口して形成された左右バンド孔１８ｂとを備えて、当該キャビネット取付装置２ａを壁等の平面に取付ける際には貫通孔２５ａを介してねじ止し、ポール等の円形体や手摺り等の矩形体に取付ける際には左右バンド孔１８ｂに取付バンドを挿通し、耳板１７がヒンジ部１６で曲がって該円形体や矩形体の形状に沿うように当該耳板１７を押付けながら取付けることができるようにする。【選択図】      図１
2006059911.tif 000002
【特許請求の範囲】
【請求項１】
雷サージや電力線の混触から通信機器を保護する加入者保安器、光ケーブル通信線の成端部、電力メータ等のキャビネットが係合して、当該キャビネットを家屋の壁等の平面体、ポール等の円形体或いは手摺り等の矩形体に取付けるキャビネット取付装置において、
該キャビネット取付装置が概略箱体をなし、その左右側板の付根部分にヒンジ部を介して設けられた長板状の耳板と、
左右の該耳板に形成された貫通孔と、
左右の前記ヒンジ部の一部を開口して形成された左右バンド孔とを備えて、
該キャビネット取付装置を前記平面体に取付ける際には前記貫通孔を介してねじ止めして取付け、前記円形体や矩形体に取付ける際には前記左右バンド孔に取付バンドを挿通し、前記耳板が前記ヒンジ部で曲がって該円形体や矩形体の形状に沿うように当該耳板を押付けながら取付けることを特徴とするキャビネット取付装置。
【請求項２】
箱状の前記キャビネット取付装置における底板に、その上下側板近傍を開口して形成した上下バンド孔を設けて、当該上下バンド孔に取付バンドを挿通して、前記円形体や矩形体に取付けることを特徴とする請求項１記載のキャビネット取付装置。
【請求項３】
左右又は上下の前記バンド孔に挿通した前記取付バンドの接触する孔壁が、該取付バンドと略一様に接触して当該取付バンドからの荷重を分散させるように傾斜して設けたことを特徴とする請求項１又は２記載のキャビネット取付装置。
【請求項４】
左右の前記耳板を連結するように設けられたベース板と、
該ベース板に対して固定可能に設けられて、前記キャビネットに出入りする光ケーブル通信線等の外線を前記ベース板と共に挟んで支持する押板とを設けたことを特徴とする請求項１乃至３いずれか１項記載のキャビネット取付装置。
【発明の詳細な説明】
【技術分野】
【０００１】
本発明は、雷サージや電力線の混触から通信機器を保護する加入者保安器、光ケーブル通信線の成端部、電力メータ等が収納される箱状のキャビネットを家屋の壁等の平面体、ポール等の円形体、手摺り等の矩形体に取付ける際に、取付の仲立ちに用いられるキャビネット取付装置に関する。
【背景技術】
【０００２】
従来、加入者保安器、成端箱、電力メータ等を設置する際には、外壁等にネジ穴を開けてそのキャビネット等をネジ止めして取付ける方法が一般的である。しかし、壁に穴を開けることは雨漏りの原因になったりするため、バンドにより固定する方法も提案されている。
【０００３】
また、加入者保安器、成端箱を個々に設けると、設置スペースの確保等が困難になるため、当該保安器等に装着するアタッチメントを具備する構成も提案されている（特許文献１参照）。
【特許文献１】特願２００１−３３５６０１号公報
【発明の開示】
【発明が解決しようとする課題】
【０００４】
しかしながら、従来の構成では、取付場所が壁等の平面体を主眼として考えられているため、これ以外のポール等の円形体や手摺りのような矩形体に取付けるためには、別途取付具を準備する用意する必要があった。即ち、施工時には取付対象の形状等に応じた取付具を準備する必要があり部材管理が面倒であると共に、在庫管理の工数が必要になる問題があった。
【０００５】
そこで、本発明は、取付対象がどのような形状であっても容易、かつ、確実に取付けることができるようにしたキャビネット取付装置を提供することを目的とする。
【課題を解決するための手段】
【０００６】
上記課題を解決するため、請求項１に係る発明は、雷サージや電力線の混触から通信機器を保護する加入者保安器、光ケーブル通信線の成端部、電力メータ等のキャビネットが係合して、当該キャビネットを家屋の壁等の平面体、ポール等の円形体或いは手摺り等の矩形体に取付けるキャビネット取付装置において、該キャビネット取付装置が概略箱体をなし、その左右側板の付根部分にヒンジ部を介して設けられた長板状の耳板と、左右の該耳板に形成された貫通孔と、左右のヒンジ部の一部を開口して形成された左右バンド孔とを備えて、該キャビネット取付装置を平面体に取付ける際には貫通孔を介してねじ止めして取付け、円形体や矩形体に取付ける際には左右バンド孔に取付バンドを挿通し、耳板がヒンジ部で曲がって該円形体や矩形体の形状に沿うように当該耳板を押付けながら取付けるようにしたものである。
【０００７】
これによりキャビネットを平面体、円形体、矩形体のいずれの取付対象に対しても容易、かつ、確実に取付けることができるようになり、専用取付具の準備や在庫管理の煩わしさが省けると共に施工性が向上する。
【０００８】
請求項２に係る発明は、箱状のキャビネット取付装置における底板に、その上下側板近傍を開口して形成した上下バンド孔を設けて、当該上下バンド孔に取付バンドを挿通して、円形体や矩形体に取付けるようにしたものである。
【０００９】
これによりキャビネットを平面体、円形体、矩形体のいずれの取付対象に対しても容易、かつ、確実に取付けることができるようになり、専用取付具の準備や在庫管理の煩わしさが省けると共に施工性が向上する。
【００１０】
請求項３に係る発明は、左右又は上下のバンド孔に挿通した取付バンドの接触する孔壁が、該取付バンドと略一様に接触して当該取付バンドからの荷重を分散させるように傾斜して設けたものである。
【００１１】
これにより、取付バンドからの荷重でキャビネット取付装置が変形したり破損したりする事態が抑制でき、信頼性が向上する。
【００１２】
請求項４に係る発明は、左右の耳板を連結するように設けられたベース板と、該ベース板に対して固定可能に設けられて、キャビネットに出入りする光ケーブル通信線等の外線をベース板と共に挟んで支持する押板とを設けたものである。
【００１３】
これにより、キャビネットに出入りする外線をベース板に宛い、その上から押板を当てて固定するだけで、この外線を容易に支持できるようになり施工性が向上する。
【発明の効果】
【００１４】
本発明によれば、キャビネット取付装置が概略箱体をなし、その左右側板の付根部分にヒンジ部を介して設けられた長板状の耳板と、左右の該耳板に形成された貫通孔と、左右のヒンジ部の一部を開口して形成された左右バンド孔とを備えて、該キャビネット取付装置を平面体に取付ける際には貫通孔を介してねじ止めして取付け、円形体や矩形体に取付ける際には左右バンド孔に取付バンドを挿通し、耳板がヒンジ部で曲がって該円形体や矩形体の形状に沿うように当該耳板を押付けながら取付けるようにしたので、キャビネットを平面体、円形体、矩形体のいずれの取付対象に対しても容易、かつ、確実に取付けることができるようになり、専用取付具の準備や在庫管理の煩わしさが省けると共に施工性が向上する。
【発明を実施するための最良の形態】
【００１５】
本発明の実施例を図を参照して説明する。キャビネット取付装置は家屋の壁等の平面体、ポール等の円形体或いは手摺り等の矩形体に取付けられて、このキャビネット取付装置に雷サージや電力線の混触から通信機器を保護する加入者保安器、光ケーブル通信線の成端部、電力メータ等のキャビネットが係合することで、該キャビネットを取付けるものである。
【００１６】
図１は、本発明にかかるキャビネット取付装置２ａ（２）の斜視図であり、図２は図１におけるＡＡ矢視における断面図である。
なお、図１においては取付バンド８を点線で示している。また、本発明で上下左右を言うときは、図１を基準としたものであることを注記する。
【００１７】
キャビネット取付装置２ａは、ポリエチレンやポリプロピレン等の耐候性の強い樹脂を材料として形成された概略箱体をなし、その底板１４ｃの端部には上下側板１４ａ，１４ａ及び左右側板１４ｂ，１４ｂが立設され、また左右の側板１４ｂにおける付根部分には耳板１７が設けられている。
【００１８】
耳板１７は、当該耳板１７より肉薄に形成されたヒンジ部１６により左右側板１４ｂと連結され、該耳板１７と底板１４ｃとのなす面の角度が変えられるように該ヒンジ部１６で曲がるようになっている。
また、耳板１７には、キャビネット取付装置２ａを家屋の壁等にネジ止めする際に用いる貫通孔２５ａが形成されている。
【００１９】
底板１４ｃの上下側板１４ａ近傍には、当該底板１４ｃを貫通してなる上下バンド孔１８ａ，１８ａが形成され、ヒンジ部１６には、底板１４ｃの裏面に挿通する左右バンド孔１８ｂ，１８ｂが形成されている。
この上下左右のバンド孔１８ａ、１８ｂは、ステンレス鋼等からなる取付バンド８が挿通する孔で、上下バンド孔１８ａ，１８ａは上下側板１４ａの略真中、左右バンド孔１８ｂ，１８ｂは左右側板１４ｂの略真中に設けられている。
【００２０】
上下側板１４ａの略真中には、それぞれ２本の切込み１９が形成され、この切込み１９で挟まれた側板１４ａの開口側端部に係合部２０が設けられている。
この係合部２０は、加入者保安器等のキャビネットに予め設けられている凹部等の被係合部と係合することにより、当該キャビネットとキャビネット取付装置２ａとを係合させる作用をなすものである。
従って、図１等におけるように係合部２０が凸状体の場合には、キャビネットにはこれと嵌合する凹状体の被係合部が形成されていることになり、逆に係合部２０が凹状体であれば被係合部は凸状体に形成されていることになる。
また、図１等においては、上下側板１４ａにかかる係合部２０を設けた場合を示しているが、左右側板１４ｂに設けても良いことは明らかであり、さらには両方の側板１４ａ，１４ｂに設けても良い。
【００２１】
上下のバンド孔１８ａ，１８ａにおける底板１４ｃの表面側のコーナ形状は、図３（ａ）に示すように、直角形状にしてもよいが、この場合には取付バンド８からの荷重がコーナに集中してしまい、破損の原因になり易い。このような場合には、図３（ｂ）に示すように、このコーナ部にテーパを付けると荷重集中が抑制でき破損等が防止できるようになる。さらには、図３（ｃ）に示すように一様傾斜のテーパではなく、曲率を持ったテーパとすることにより、荷重分散効果を向上させて上記破損等を効果的に抑制することが可能になる。
【００２２】
キャビネット取付装置は概略上述したような構成であるが、図４に示す構成のキャビネット取付装置２ｂ（２）、図５に示す構成のキャビネット取付装置２ｃ（２）であっても良い。
図４に示すキャビネット取付装置２ｂは、耳板１７が左右側板１４ｂと同じ長さに形成され、貫通孔２５ｂがその中間点の位置に形成された点が相違している。この貫通孔２５ｂは、キャビネット取付装置２ｂを家屋の壁等にネジ止めする際に用いる孔である。
【００２３】
また、図５に示すキャビネット取付装置２ｃは、耳板１７の下端部を連結するように外線支持具２８を設けた構成である。この外線支持具２８は、加入者保安器等のキャビネットに出入する外線を支持固定するために用いられ、ベース板２６と押板２７とから構成されて、押板２７の一端がベース板２６に一体に形成されている。
そして、押板２７の他端には貫通孔が形成され、この貫通孔と対向する位置のベース板２６に雌ネジが形成され又は埋込まれている。
【００２４】
無論、この押板２７をベース板２６に固定する方法は、ネジ止めに限らず、図６（ａ）に示すように、押板２７に係合爪２８を形成し、ベース板２６にこの係合爪２８が嵌合する係合孔２９を形成した構成であっても良い。また、押板２７はベース板２６と一体に形成しなくてもよく、図６（ｂ）に示すように左右端部をネジ３０により固定する構成であっても良い。
【００２５】
次に、このような構成のキャビネット取付装置の取付方法を説明する。その際キャビネット取付装置としては、図１に示すキャビネット取付装置２ａを例に説明する。キャビネット取付装置２ａは、図７に示すように壁のような平面体３１、図８に示すように手摺りのような矩形体３２、図９に示すようにポールのような円形体３３等の種々の被取付体に取付けることが可能である。
【００２６】
平面体３１に取付ける場合には、キャビネット取付装置２ａをこの平面体３１の被取付体に宛い、貫通孔２５ａを介して木ネジ等で固定する。
【００２７】
また、矩形体３２に取付ける場合には、取付バンド８をキャビネット取付装置２ａに形成した上下バンド孔１８ａに挿通して矩形体３２を抱込み、当該取付バンド８の端部を緊結する。
【００２８】
一方、ポールのような円形体３３の場合には、原則縦方向に伸びるポールを想定しており、この場合は左右バンド孔１８ｂに取付バンド８を挿通して取付ける。
【００２９】
このようにして取付られたキャビネット取付装置２ａの係合部２０に、キャビネット３５に設けられている被係合部を係合させて取付ける。
このとき、雨等が外線の出入口からキャビネット３５に侵入しないように当該出入口が下側になるようにして係合させることが好ましい。
しかし、上下左右の側板に設けられている係合部２０が非対称であると、キャビネット取付装置２ａの取付状況により外線の出入口が下側に位置しなくなる場合があるので、上下左右の側板で係合部２０を対称に設けることが好ましく、また上下左右の側板全てに係合部２０を対称に設けてもよい。
【００３０】
図１０は、図９におけるＢＢ矢視断面の部分図である。取付バンド８は、耳板１７の上から当該耳板１７を円形体３３に押付けるように巻かれている。耳板１７は、この取付バンド８からの力によりヒンジ部１６で曲がり円形体３３の側面に密接して、図９に示すように、ポールの長手方向に対して傾いたりすることがない。従って、円形体３３に取付ける際にも取付安定性を確保することができる。なお、図９における矢印は、この傾き方向を示している。
【００３１】
また、取付バンド８はキャビネット取付装置２ａの底板１４ｃの裏面に位置するため、取付バンド８を強固に締め付けても、底板１４ｃに力が加わることがない。底板１４ｃに力が加わらないため、キャビネット取付装置２ａが変形して、蓋１３が外れやすくなったりすることが無く、また底板１４ｃ等が割れたりすることがない。従って、信頼性の高い取付が可能になる。
【００３２】
図１に示すキャビネット取付装置２ａのサイズとして横幅が約５８ｍｍ、縦が約７７ｍｍ、耳板１７の横幅が９．５ｍｍの場合に、直径８０〜１５０ｍｍのポールに適用した結果、安定、かつ、強固に取付けることができ、その際にキャビネット取付装置２ａが変形したりすることがなかった。
無論、この数値は例示であって、耳板１７が曲がる範囲で取付けることが可能であることは言うまでもない。
【００３３】
なお、上記説明では、加入者保安器等のキャビネットがキャビネット取付装置に係合する構成であったが、加入者保安器等のキャビネットをキャビネット取付装置で兼用することも可能であり、本発明は係る利用形態を排除するものではない。
【図面の簡単な説明】
【００３４】
【図１】本発明の実施例の説明に適用されるキャビネットの斜視図である。
【図２】図１におけるＡＡ断面図である。
【図３】バンド孔の形状を説明するための図である。
【図４】図１に示す構成に代わるキャビネットの斜視図である。
【図５】図１に示す構成に代わるキャビネットの斜視図である。
【図６】外線支持具の他の構成を示す図である。
【図７】本発明に係るキャビネットを壁のような平面体に取り付けた際の様子を示す図である。
【図８】本発明に係るキャビネットを手摺りのような矩形体に取り付けた際の様子を示す図である。
【図９】本発明に係るキャビネットをポールのような円形体に取り付けた際の様子を示す図である。
【図１０】図９におけるＢＢ断面における部分図である。
【符号の説明】
【００３５】
２ａ，２ｂ，２ｃ（２）  キャビネット取付装置
８  取付バンド
１４ａ  上下側板
１４ｂ  左右側板
１４ｃ  底板
１６  ヒンジ部
１７  耳板
１８ａ  上下バンド孔
１８ｂ  左右バンド孔
２８  外線支持具
２６  ベース板
２７  押板
３１  平面体
３２  矩形体
３３  円形体
【図１】
2006059911.tif 000003
【図２】
2006059911.tif 000004
【図３】
2006059911.tif 000005
【図４】
2006059911.tif 000006
【図５】
2006059911.tif 000007
【図６】
2006059911.tif 000008
【図７】
2006059911.tif 000009
【図８】
2006059911.tif 000010
【図９】
2006059911.tif 000011
【図１０】
2006059911.tif 000012